(57)【特許請求の範囲】
【請求項１】
両端が左右で枢支されて水平方向に延在される軸芯を中心にして回転可能に設定されたドラムに引出し可能および巻取り可能に敷物を保持し、敷物の先端に分離可能に連結された牽引車の走行でドラムからの敷物の引出しが可能とされてなる一方で、ドラムが商用電源の利用で敷物を巻取るように作動する電気的駆動源に連繋され、更に、敷物の引出しおよび巻取りの際に敷物の裏面側にエアーブロー機構からの圧気が噴出されるように設定されてなる敷物敷設装置において、上記ドラムに近接した位置に垂壁を設け、当該垂壁の下端に上記敷物のテンションを検出するテンションセンサを設け、上記テンションセンサで検出した信号でコントローラを介して上記電気的駆動源の敷物巻取作動を制御する一方、上記エアーブロー機構を上記ドラムの下方に配在すると共に、このエアーブロー機構における圧気の噴出口を、この噴出口から敷物の敷設方向に向かって圧気が噴出されるように、敷物を敷設する所定位置たる床面と、上記ドラムから引き出されている敷物の裏面との間に対向して配置したことを特徴とする敷物敷設装置。
【発明の詳細な説明】
【０００１】
【発明の属する技術分野】
この発明は、体育館の床上などに人工芝などの敷物を敷設すると共に爾後の撤去を可能にする敷物敷設装置の改良に関する。
【０００２】
【従来技術とその問題点】
近年の多目的ホールや体育館などにあっては、常態の、たとえば、フローリング仕上げの床上に別途に敷物としての、たとえば、人工芝を敷き詰めて、屋外で行う競技などを屋内でも行えるようにするなどしてその多用途化を図るとしている。
【０００３】
そして、この人工芝、すなわち、敷物を敷設および撤去する装置として、従来から種々の敷物敷設装置が提案されており、また、それぞれに特徴を有しているが、言わば一長一短があり、敷物の敷設および爾後の撤去をより一層容易にし得る敷物敷設装置の提案が望まれているのが実情である。
【０００４】
この発明は、このような現状を鑑みて創案されたものであって、その目的とするところは、敷物の敷設および爾後の撤去をより一層容易にし得ることから利用して便利であり、その汎用性の向上を期待するのに最適となる敷物敷設装置を提供することである。
【０００５】
【課題を解決するための手段】
上記した目的を達成するために、この発明による敷物敷設装置の構造を、両端が左右で枢支されて水平方向に延在される軸芯を中心にして回転可能に設定されたドラムに引出し可能および巻取り可能に敷物を保持し、敷物の先端に分離可能に連結された牽引車の走行でドラムからの敷物の引出しが可能とされてなる一方で、ドラムが商用電源の利用で敷物を巻取るように作動する電気的駆動源に連繋され、更に、敷物の引出しおよび巻取りの際に敷物の裏面側にエアーブロー機構からの圧気が噴出されるように設定されてなる敷物敷設装置において、上記ドラムに近接した位置に垂壁を設け、当該垂壁の下端に上記敷物のテンションを検出するテンションセンサを設け、上記テンションセンサで検出した信号でコントローラを介して上記電気的駆動源の敷物巻取作動を制御する一方、上記エアーブロー機構を上記ドラムの下方に配在すると共に、このエアーブロー機構における圧気の噴出口を、この噴出口から敷物の敷設方向に向かって圧気が噴出されるように、敷物を敷設する所定位置たる床面と、上記ドラムから引き出されている敷物の裏面との間に対向して配置した。
【０００６】
そして、上記した基本的な構成にあって、より具体的には、エアーブロー機構がドラムの下方に配在されてなると共にこのエアーブロー機構における圧気の噴出口が敷物を敷設する所定位置たる床面とドラムから引出されている敷物の裏面との間に対向されてなるとする。
【０００７】
このとき、敷物の先端に分離可能に連結されてドラムから敷物を引出す牽引車は、たとえば、蓄電池で走行する電気駆動車とされ、搭乗する操縦者の操縦で走行するか、あるいは、操縦者が搭乗せずして無線操縦で走行するかのいずれかに設定されるとする。
【０００８】
そして、敷物を敷設し終わるなどして言わば不使用状態におかれる牽引車は、たとえば、客席スタンドの下方などに形成される適宜の格納スペースに格納されるとする。
【０００９】
【発明の実施の形態】
以下に、図示した一実施の形態に基づいて、この発明を説明するが、この発明による敷物敷設装置は、図１および図２に示すように、両端が図１中で左右（図２中では上下）となるいわゆる左右に配在の一対の軸受１，２にそれぞれ枢支されて水平方向に延在される軸芯を中心にして回転可能に設定されたドラム３に所定の面積を有する一枚のシート状に形成の敷物たる人工芝Ｓを引出し可能および巻取り可能に保持してなるとしている。
【００１０】
ちなみに、ここにおける人工芝Ｓは、たとえば、図１中に一点鎖線で示すように、ゲートボール競技のコートＣを二面採ることを可能にする長さおよび幅を有する定尺に設定されている。
【００１１】
また、人工芝Ｓが敷き詰められるところは、図示するところでは、たとえば、体育館Ａなどにおける屋内床としてのフローリング床Ｆ（図１参照）とされている。
【００１２】
一方、この敷物敷設装置は、ドラム３の一端が一方の軸受１に近隣配置された電気的駆動源４に連繋されてなると共に、ドラム３の下方にエアーブロー機構５が配在されてなり、図１中に実線の部分図で示すように、人工芝Ｓの先端に分離可能に連結される複数台の牽引車Ｐの走行によって人工芝Ｓが所定位置に引出されるように設定されている。
【００１３】
なお、複数台の牽引車Ｐは、詳しくは図示しないが、たとえば、蓄電池で走行する電気駆動車とされる上で、搭乗する操縦者の操縦で走行するか、あるいは、操縦者が搭乗せずして無線操縦で走行するかのいずれかに設定されるとする。
【００１４】
また、この複数台の牽引車Ｐは、人工芝Ｓを敷設し終わるなどして言わば不使用状態のときには、図１中に示すように、たとえば、フローリング床Ｆを区画する体育館Ａにおける壁のいわゆる内側に形成されるなどの専用の格納スペースＡ１に格納されるとしているが、これに代えて、図示しないが、たとえば、客席スタンドの下方などに形成される格納スペースに格納されるとしても良い。
【００１５】
そして、上記の収納スペースＡ１は、シャッターなどの扉Ｄでこの牽引車Ｐが格納されている状態を隠蔽し得るように配慮するのが好ましい。
【００１６】
ところで、ドラム３は、所定の幅，長さおよび肉厚を有する人工芝Ｓを言わば完全に巻取り得るように、すなわち、所定の大きさおよび所定の機械的強度を有するように形成されているのはもちろんであるが、図示するところでは、両端の近傍部に人工芝Ｓを巻取る際のはみ出しを阻止するストッパとして機能するフランジ３１を有してなるとしている。
【００１７】
そして、このドラム３は、一端が一方の軸受１に近隣配置された電気的駆動源４に連繋されることで、すなわち、電気的駆動源４が駆動されることで回転されて人工芝Ｓの巻取りを実行するように設定されている。
【００１８】
そのため、このドラム３は、一端に大径プーリ３２を有していて、図３にも示すように、この大径プーリ３２に巻装されるチェーンなどの無限帯Ｂを介して上記の電気的駆動源４に連繋されてなるとしている。
【００１９】
ちなみに、ドラム３の一端もそうであるが、ドラム３の他端は、いわゆる抜けが阻止された状態で軸受２に枢支されており、各軸受１，２は、後述するエアーブロー機構５の配置の関係上、上端がほぼフローリング床Ｆの上端に一致する高さに設定された基台１１，１２上に設置されてなるとしている。
【００２０】
一方、電気的駆動源４は、商用電源で駆動するモータと、このモータの回転速度を減速するなどの制御をする減速器と、この減速器に保持された小径のプーリ３２とを有してなり、このプーリ３２に上記の無限帯が巻装されてなるとしている。
【００２１】
このとき、この電気的駆動源４は、この発明にあって、ドラム３の回転による人工芝Sの引出しを許容する一方で人工芝Sの巻取りを実行するように設定されてなるとするもので、それゆえ、これが作動するときには、ドラム３が人工芝Sを巻取るようにのみ機能することになる。
【００２２】
ちなみに、この電気的駆動源４は、牽引車Ｐの利用でドラム３から人工芝Sを引出す際には、電源が切られて不作動状態に維持されるか、あるいは、いわゆるニュートラル状態に維持されて不作動状態に維持されることになる。
【００２３】
エアーブロー機構５は、その作動でフローリング床Ｆと人工芝Sとの間に空気の層を形成して、いわゆるエアースライダの原理で牽引車Pによる人工芝Sの敷設作業および電気的駆動源４の作動によるドラム３の回転、すなわち、人工芝Ｓの巻取りを容易にするために設けられるものである。
【００２４】
それゆえ、このエアーブロー機構５は、図示する実施の形態では、図3および図4に示すように、外気を取込み圧気として吐出する本体部５1と、この本体部５１に連設されて本体部５１からの圧気を通過させるパイプ５２とを有してなるとし、このパイプ５２の先端の噴出口５２ａがフローリング床Ｆと人工芝Sとの間に対向されるように設定されてなるとしている。
【００２５】
なお、このエアーブロー機構５は、本体部５１が前記した電気的駆動源4と同様に商用電源の利用で作動するように設定されている。
【００２７】
それゆえ、この発明における敷物敷設装置にあっては、エアーブロー機構５の作動で人工芝Ｓの裏面とフローリング床Ｆの上面との間に空気の層を形成し得るから、エアースライダの原理からして人工芝Ｓの引出しおよび巻取りの際に要する操作力を小さくすることが可能になり、言わば装置全体を大掛かりに設定しなくて済むことになる。
【００２８】
以上のように、この発明にあっては、牽引車Ｐの利用で敷物たる人工芝Ｓを敷設し、電気的駆動源４の作動で回転するドラム３を利用して人工芝Ｓを撤去し得るとしているが、さらには、以下のような配慮もしている。
【００２９】
すなわち、まず、人工芝Ｓを牽引車Ｐの走行で引出したりドラム３の回転で巻取るときに、人工芝Ｓがドラム３から大きく垂れ下がらないようにするために、図３および図４に示すように、支持ローラ６を有してなるとするもので、この支持ローラ６は、ドラム３の下方近傍でこのドラム３に沿うように配在されてなるとしている。
【００３０】
それゆえ、この支持ローラ６の配在で人工芝Ｓが必要以上に垂れ下がらなくなり、いわゆる抵抗が少なくなって、人工芝Ｓの引出しおよび巻き取りの際に要する操作力を大きくさせないようにし得ることになる。
【００３１】
つぎに、人工芝Ｓを牽引車Ｐの走行で引出したりドラム３の回転で巻取るときに、人工芝Ｓに必要以上のテンションをかけないようにして人工芝Ｓが破断などしないように配慮している。
【００３２】
すなわち、この敷物敷設装置にあっては、その設置の際に、ドラム３が体育館Ａを区画する壁のいわゆる内側に形成されている機械室（符示せず）などに配置されているとし、このとき、機械室と体育館Ａのいわゆる床部分との間には垂壁７が設けられて区画されるとしている。
【００３３】
そこで、この垂壁７の下端にテンションセンサ８を設けておき、このテンションセンサ８で人工芝Ｓに作用しているテンションを検知し、この検出結果を図示しないコントローラに入力し、コントローラにあらかじめ入力されている設定値に基づいて処理した結果の信号を外部に出力させるとしている。
【００３４】
その結果、この信号を前記した電気的駆動源４に入力するように設定する場合には、この電気的駆動源４の作動を制御して、ドラム３の回転による人工芝Sの巻取りの際に人工芝Ｓに作用しているテンションを小さくし、たとえば、人工芝Ｓが過大なテンションで破損などすることを防止し得ることになる
【００３５】
そして、上記のコントローラからの信号を適宜の手段で、前記した牽引車Ｐあるいは牽引車Ｐを操縦する操縦者に伝達する場合には、牽引車Ｐの走行速度を制御することで牽引車Ｐの走行による人工芝Ｓの引出しの際にこの人工芝Ｓに作用するテンションを小さくすることが可能になる。
【００３６】
前記したところは、この発明による敷物敷設装置が敷物としての人工芝Ｓを敷設し撤去するものとして説明したが、この発明の意図するところからすれば、敷物は、図示しないが、たとえば、絨緞とされるとしても良く、また、養生シートとされるとしても良い。
【００３７】
そして、敷物が養生シートとされる場合には、この敷物敷設装置を設置する体育館Ａなどの建築工事中にフローリング作業を他の内装作業などに先行して行うことを可能にすることになり、所定の作業が完了してフローリング床Ｆの養生を要しなくなった時点で養生シートに代えて所望の敷物たる、たとえば、人工芝Ｓをドラム３に巻装するようにし得る点で有利となる。
【００３８】
また、この発明による敷物敷設装置が体育館Ａなどのいわゆる仕切られた空間において敷物を敷設する場合を例にしたが、この発明の意図するところからすれば、敷物を敷設する場所が仕切られていないオープンな空間であっても良いことはもちろんである。
【００３９】
【発明の効果】
以上のように、この発明による敷物敷設装置にあっては、敷物の敷設時には牽引車を利用し、その撤去時には商用電源で作動する電気的駆動源を利用するとするから、また、このときに、エアーブロー機構によるエアースライダ原理を利用して敷物の荷重を見掛上で低減するとするから、敷物の敷設および撤去の作業が容易になり、装置全体の大型化を回避できることになる。
【００４０】
その結果、この発明によれば、敷物の敷設および爾後の撤去をより一層容易にし得ることから利用して便利であり、その汎用性の向上を期待するのに最適となる。
更に、垂壁の下端にテンションセンサを設けておき、このテンションセンサで敷物に作用しているテンションを検知し、この検出結果をコントローラに入力し、コントローラにあらかじめ入力されている設定値に基づいて処理した結果の信号を外部に出力させ、この信号を電気的駆動源に入力して当該電気的駆動源の巻取作動を制御しているから、ドラムの回転による敷物の巻取りの際に敷物に作用しているテンションを小さくし、たとえば、敷物が過大なテンションで破損などすることを防止し得ることになる。
そして、上記のコントローラからの信号を適宜の手段で、牽引車あるいは牽引車を操縦する操縦者に伝達する場合には、牽引車の走行速度を制御することで牽引車の走行による敷物の引出しの際にこの敷物に作用するテンションを小さくすることが可能になる。
【図面の簡単な説明】
【図１】この発明による敷物敷設装置の利用状態を概略的に示す平面図である。
【図２】図１の敷物敷設装置を一部破断して示す拡大平面図である。
【図３】図２の敷物敷設装置における左側面を示す図である。
【図４】図２の敷物敷設装置における右側面を示す図である。
【符号の説明】
１，２  軸受
３  ドラム
４  電機的駆動源
５  エアーブロー機構
１１，１２  基台
３２，４３  プーリー
Ａ  体育館
Ａ１  格納スペース
Ｂ  無限帯
Ｃ  コート
Ｄ  扉
Ｆ  フローリング床
Ｐ  牽引車
Ｓ  敷物たる人工芝
【図１】
0004011213.tif 000002
【図２】
0004011213.tif 000003
【図３】
0004011213.tif 000004
【図４】
0004011213.tif 000005